(57)【要約】【課題】取付面から突出することなく、光を効率よく所望の方向へ照射できる舞台用照明器具を提供する。【解決手段】被取付部１１に取り付けられる枠体２０には、ＬＥＤ（光源）３４を有する灯具本体３１が、スライド可能かつ上下方向に回転可能に設けられている。また、枠体２０には、ＬＥＤ３４からの光を所定の方向へ反射する反射板２４が設けられている。そして、灯具本体３１をスライドさせたり上下回転させたときに、反射板２４と灯具本体３１との間に生じる隙間２５に照射された光を反射する補助反射板３７を、灯具本体３１の下方に設けた。このため、補助反射板３７が枠体２０から下方へ突出することなく、反射板２４と灯具本体３１との間に生じる隙間２５から漏れる光を照明方向へ反射するので、外観を損ねることなく光を効率よく所望の方向へ照射できる。【選択図】図３
2013164986.tif 000002
【特許請求の範囲】
【請求項１】
被取付部に取り付けられる枠体と、
光源を有し、前記枠体にスライド可能かつ上下方向に回転可能に支持される灯具本体と、
前記枠体に取り付けられ、前記光源からの光を所定の方向へ反射する反射板と、を有し、
前記灯具本体をスライドさせ上下回転させたときに、前記反射板と前記灯具本体との間に生じる隙間に照射された光を反射する補助反射板を、前記灯具本体の下方に設けた舞台用照明器具。
【請求項２】
被取付部に取り付けられる枠体と、
光源を有し、前記枠体にスライド可能かつ上下方向に回転可能に支持される灯具本体と、
前記枠体に取り付けられ、前記光源からの光を所定の方向へ反射する反射板と、を有し、
前記灯具本体をスライドさせ上下回転させたときに、前記反射板と前記灯具本体との間に生じる隙間に照射された光を反射する補助反射板を、前記灯具本体に対して上下方向にスライド可能に設けた舞台用照明器具。
【請求項３】
被取付部に取り付けられる枠体と、
光源を有し、前記枠体にスライド可能かつ上下方向に回転可能に支持される灯具本体と、
前記枠体に取り付けられ、前記光源からの光を所定の方向へ反射する反射板と、を有し、
前記灯具本体をスライドさせ上下回転させたときに、前記反射板と前記灯具本体との間に生じる隙間に照射された光を反射する補助反射板を、前記灯具本体と前記枠体との間にジャバラ式に設けた舞台用照明器具。
【請求項４】
被取付部に取り付けられる枠体と、
光源を有し、前記枠体にスライド可能かつ上下方向に回転可能に支持される灯具本体と、
前記枠体に取り付けられ、前記光源からの光を所定の方向へ反射する反射板と、を有し、
前記灯具本体をスライドさせ上下回転させたときに、前記反射板と前記灯具本体との間に生じる隙間に照射された光を反射する補助反射板を、後付けで取り付けた舞台用照明器具。
【請求項５】
被取付部に取り付けられる枠体と、
光源を有し、前記枠体にスライド可能かつ上下方向に回転可能に支持される灯具本体と、
前記枠体に取り付けられ、前記光源からの光を所定の方向へ反射する反射板と、を有し、
前記灯具本体をスライドさせ上下回転させたときに、前記反射板と前記灯具本体との間に生じる隙間に照射された光を反射する補助反射板を、前記枠体に回転可能に設けた舞台用照明器具。
【発明の詳細な説明】
【技術分野】
【０００１】
本発明は、劇場等の天井に設けて真下を照明する舞台用照明器具に関するものである。
【背景技術】
【０００２】
従来より、舞台の上方には音響反射板が設けられており、音響反射板には埋込型の照明器具が設置されるのが一般的である。音響反射板には種々の形状があり、水平面を有する場合には、水平面に照明器具を設置することにより、真下に向けて光を照射することができる。
また、音響反射板が下方に凸の複数の曲面で構成されている場合には、埋め込まれた照明器具が斜めに取り付けられる。このため、照明器具を音響反射板に沿って取り付けた場合には、音響反射板に直交する方向へ光を照射することになるため、真下を照明するには、器具本体に対して照射方向の角度を変える必要がある。
【０００３】
ところで、器具本体に対して照射方向の角度を変える照明器具が提案されている（例えば、特許文献１参照）。
図１２に示すように、特許文献１に記載の照明器具１００では、天井１０１に設けられた埋込孔１０２に、下方に開口する器具本体１０３が取り付けられている。また、器具本体１０３と埋込孔１０２との間の隙間には、器具枠１０４が取り付けられている。
そして、ランプ（図示省略）からの光を壁面１０５側に反射する補助反射板１０６が、器具本体１０３の下面に往復移動（図１２中矢印Ａ参照）可能に取り付けられている。
【０００４】
従って、補助反射板１０６により、ランプからの光を所望の方向、すなわち、壁面１０５上部に照射することができる。このとき、補助反射板１０６を壁面１０５に対して接近、離反することにより、壁面１０５における照射範囲や照射レベルの調整を行うことができる。
【先行技術文献】
【特許文献】
【０００５】
【特許文献１】実開平５−６５２５号公報（第１図）
【発明の概要】
【発明が解決しようとする課題】
【０００６】
しかしながら、前述したような特許文献１に記載の照明器具を傾斜した天井面に取り付けて、補助反射板により真下に光を照射するようにした場合には、補助反射板が器具本体から下方に突出しているため、外観上問題がある。
また、従来より用いられている首振り型式のダウンライトを用いた場合には、光源を収容する灯具本体を枠体に対して回転させると、灯具本体と枠体との間に隙間ができ、光が漏れるおそれがあり、光を効率よく照射できないという問題があった。
【０００７】
本発明は、従来の問題を解決するためになされたもので、被取付部から突出することなく、光を効率よく所望の方向へ照射できる舞台用照明器具を提供することを目的とする。
【課題を解決するための手段】
【０００８】
本発明の舞台用照明器具は、被取付部に取り付けられる枠体と、光源を有し、前記枠体にスライド可能かつ上下方向に回転可能に支持される灯具本体と、前記枠体に取り付けられ、前記光源からの光を所定の方向へ反射する反射板と、を有し、前記灯具本体をスライドさせ上下回転させたときに、前記反射板と前記灯具本体との間に生じる隙間に照射された光を反射する補助反射板を、前記灯具本体の下方に設けたものである。
【０００９】
また、本発明の舞台用照明器具は、被取付部に取り付けられる枠体と、光源を有し、前記枠体にスライド可能かつ上下方向に回転可能に支持される灯具本体と、前記枠体に取り付けられ、前記光源からの光を所定の方向へ反射する反射板と、を有し、前記灯具本体をスライドさせ上下回転させたときに、前記反射板と前記灯具本体との間に生じる隙間に照射された光を反射する補助反射板を、前記灯具本体に対して上下方向にスライド可能に設けたものである。
【００１０】
また、本発明の舞台用照明器具は、被取付部に取り付けられる枠体と、光源を有し、前記枠体にスライド可能かつ上下方向に回転可能に支持される灯具本体と、前記枠体に取り付けられ、前記光源からの光を所定の方向へ反射する反射板と、を有し、前記灯具本体をスライドさせ上下回転させたときに、前記反射板と前記灯具本体との間に生じる隙間に照射された光を反射する補助反射板を、ジャバラ式に前記灯具本体に設けたものである。
【００１１】
また、本発明の舞台用照明器具は、被取付部に取り付けられる枠体と、光源を有し、前記枠体にスライド可能かつ上下方向に回転可能に支持される灯具本体と、前記枠体に取り付けられ、前記光源からの光を所定の方向へ反射する反射板と、を有し、前記灯具本体をスライドさせ上下回転させたときに、前記反射板と前記灯具本体との間に生じる隙間に照射された光を反射する補助反射板を、後付けで取り付けたものである。
【００１２】
さらに、本発明の舞台用照明器具は、被取付部に取り付けられる枠体と、光源を有し、前記枠体にスライド可能かつ上下方向に回転可能に支持される灯具本体と、前記枠体に取り付けられ、前記光源からの光を所定の方向へ反射する反射板と、を有し、前記灯具本体をスライドさせ上下回転させたときに、前記反射板と前記灯具本体との間に生じる隙間に照射された光を反射する補助反射板を、前記枠体に回転可能に設けたものである。
【発明の効果】
【００１３】
本発明は、灯具本体をスライドさせたり上下回転させたときに、反射板と灯具本体との間に生じる隙間に照射された光を反射する補助反射板を、灯具本体の下方に設けた。このため、補助反射板が枠体から下方へ突出することなく、反射板と灯具本体との間に生じる隙間から漏れる光を照明方向へ反射するので、外観を損ねることなく光を効率よく所望の方向へ照射できるという効果を有する舞台用照明器具を提供できる。
【図面の簡単な説明】
【００１４】
【図１】本発明に係る第１実施形態の舞台用照明器具を下方から見た斜視図
【図２】（Ａ）は本発明に係る第１実施形態の舞台用照明器具の側面図であり、（Ｂ）は（Ａ）中Ｂ方向から見た平面図
【図３】（Ａ）は灯具本体をスライドおよび回転させる前の断面図であり、（Ｂ）は灯具本体をスライドさせたときの断面図であり、（Ｃ）は灯具本体を回転させたときの断面図
【図４】本発明に係る第２実施形態の舞台用照明器具の側面図
【図５】（Ａ）は灯具本体を回転させる前の側面図であり、（Ｂ）は灯具本体を回転させたときの側面図であり、（Ｃ）は補助反射板を下ろしたときの側面図
【図６】本発明に係る第３実施形態の舞台用照明器具の側面図
【図７】（Ａ）は灯具本体を回転させる前の側面図であり、（Ｂ）は灯具本体を回転させたときの側面図
【図８】本発明に係る第４実施形態の舞台用照明器具の側面図
【図９】（Ａ）は灯具本体を回転させる前の側面図であり、（Ｂ）は灯具本体を回転させたときの側面図であり、（Ｃ）は補助反射板を後付けした後の側面図
【図１０】本発明に係る第５実施形態の舞台用照明器具の側面図
【図１１】（Ａ）は灯具本体を回転させる前の側面図であり、（Ｂ）は灯具本体を回転させたときの側面図
【図１２】従来の天井面に取り付ける照明器具の側面図
【発明を実施するための形態】
【００１５】
（第１実施形態）
以下、本発明に係る第１実施形態の舞台用照明器具について、図面を用いて説明する。
図１および図２（Ａ）、（Ｂ）に示すように、本発明に係る第１実施形態の舞台用照明器具１０は、劇場等の天井面（被取付部）１１に設けられている埋込孔１２に取り付けられて、真下（図２（Ａ）において矢印Ａ方向）を照明する。
なお、ここでは、天井面１１が、右上がりに傾斜している場合について説明する。また、天井面１１には、舞台の天井のみならず、客席の天井も含むものとする。
【００１６】
舞台用照明器具１０は、埋込孔１２に取り付けられる枠体２０を有する。枠体２０は、埋込孔１２に取り付けた状態で、天井面１１の下面１１Ａに当接して下方に露出する鍔部材２１を有しており、鍔部材２１の上面には複数本の脚２２が立設されている。また、脚２２の上端は、上フレーム２３が取り付けられている。
また、枠体２０の内部には、上下面が開口した略円錐台形状の反射面２４Ａを有する反射板２４が取り付けられている。
【００１７】
枠体２０の上側には、灯具３０が取り付けられる。
灯具３０は、全体円柱形状の灯具本体３１と、灯具本体３１を上下方向に回転可能に支持するベースプレート３２と、ベースプレート３２の上面に灯具本体３１を挟んで左右一対立設されて、灯具本体３１を所望の回転角度で固定する側板３３を有する。
【００１８】
灯具本体３１は全体円柱形状をしており、下面に光源である複数のＬＥＤ３４を有する。また、上部には、ＬＥＤ３４が発した熱を放出するために、複数枚の放熱フィン３５が設けられている。
ベースプレート３２には開口部３２Ｃが設けられており、この開口部３２Ｃから灯具本体３１の下面が下方に露出して、ＬＥＤ３４からの光を照射する。
【００１９】
ベースプレート３２は枠体２０の上フレーム２３に対してスライド可能に設けられている。
すなわち、ベースプレート３２は、左右（スライド方向と直交する方向）に張出部３２Ａを有しており、各張出部３２Ａには、スライド方向に沿って長円形状の切欠３２Ｂが設けられている。
なお、枠体２０の上フレーム２３には、切欠３２Ｂに対応してねじ孔２３Ａが設けられており、ねじ（図示省略）を締め付けることにより、灯具３０を枠体２０に対して所望の位置に固定する。
【００２０】
左右の側板３３は、灯具３０のベースプレート３２上面においてスライド方向（図２（Ａ）中矢印Ｃ参照）に沿って立設されている。
側板３３の下端部におけるスライド方向の上側端部には回転軸３６が設けられており、灯具本体３１を上下方向（図２（Ａ）中矢印Ｄ方向）に回転可能に支持する。
また、側板３３における回転軸３６と反対側の端部には、回転軸３６を中心とする部分円弧状の切欠３３Ａが設けられている。
従って、灯具本体３１から左右（図２（Ａ）において紙面直交方向）に突出して設けられている突起３１Ａを、ねじ（図示省略）等により切欠３３Ａに固定することにより、灯具本体３１を所望の角度に固定する。
【００２１】
灯具本体３１の下面には、灯具本体３１をスライドさせ上下回転させたときに、反射板２４と灯具本体３１との間に生じる隙間２５（図３（Ｃ）参照）に照射された光を反射する補助反射板３７が設けられている。
補助反射板３７は、反射板２４の反射面２４Ａと同様の略円錐台形状の一部に形成されており、灯具本体３１を最も下方側（図２（Ａ）において左側）へ位置決めした際に、反射面２４Ａに近接する。
【００２２】
従って、図３（Ａ）に示すように、傾斜した天井面１１に設けられた埋込孔１２に舞台用照明器具１０を取り付ける際には、灯具本体３１のスライド方向が、傾斜している天井面１１の傾斜方向と一致するように枠体２０を取り付ける。
次いで、図３（Ｂ）に示すように、灯具３０を上側（図３（Ｂ）中矢印Ｂ方向）へスライドさせる。そして、灯具３０のベースプレート３２に設けられている切欠３２Ｂを、ねじ等により枠体２０の上フレーム２３に設けられているねじ孔２３Ａに固定する（図２（Ｂ）参照）。
【００２３】
そして、図３（Ｃ）に示すように、灯具本体３１を回転軸３６回りに回転させて（図３（Ｃ）中矢印Ｃ方向）、灯具本体３１の照射方向（照射光ＬＢ）が真下を向くように設定する。この状態で、灯具本体３１の突起３１Ａをねじ等により側板３３の切欠３３Ａに固定する（図２（Ａ）参照）。
これにより、舞台用照明器具１０の照射光ＬＢは、天井面１１の傾斜にかかわらず、真下に設定することができる。
【００２４】
以上、説明した本発明に係る第１実施形態の舞台用照明器具１０によれば、天井面１１に取り付けられる枠体２０には、ＬＥＤ３４を有する灯具本体３１が、スライド可能かつ上下方向に回転可能に設けられている。また、枠体２０には、ＬＥＤ３４からの光を所定の方向へ反射する反射板２４が設けられている。
そして、灯具本体３１をスライドさせたり上下回転させたときに、反射板２４と灯具本体３１との間に生じる隙間２５に照射された光を反射する補助反射板３７を、灯具本体３１の下方に設けた。
このため、補助反射板３７が枠体２０から下方へ突出することなく、反射板２４と灯具本体３１との間に生じる隙間２５から漏れる光を照明方向へ反射するので、外観を損ねることなく光を効率よく所望の方向へ照射できる。
【００２５】
（第２実施形態）
次に、本発明に係る第２実施形態の舞台用照明器具について、図面を用いて説明する。
なお、前述した第１実施形態に係る舞台用照明器具１０と共通する部位には同じ符号を付して、重複する説明を省略することとする。
【００２６】
図４には、傾斜した天井面１１に設けられている埋込孔１２に取り付けられた第２実施形態の舞台用照明器具１０Ｂが示されている。
この舞台用照明器具１０Ｂでは、灯具本体３１を上下回転させたときに、反射板２４と灯具本体３１との間に生じる隙間２５（図５（Ｃ）参照）に照射された光を反射する補助反射板３７Ｂを、灯具本体３１に対して上下方向にスライド可能に設けた。
なお、補助反射板３７Ｂは、反射板２４の反射面２４Ａと同様の略円錐台形状の一部に形成されている。
【００２７】
従って、図５（Ａ）に示すように、傾斜した天井面１１に設けられた埋込孔１２に舞台用照明器具１０Ｂを取り付ける際には、灯具本体３１のスライド方向が、傾斜している天井面１１の傾斜方向と一致するように枠体２０を取り付ける。この状態では、補助反射板３７Ｂは、上端位置にある。
次いで、図５（Ｂ）に示すように、灯具本体３１を上側（図５（Ｂ）中矢印Ｂ方向）へ回転させて、灯具本体３１の照射方向（照射光ＬＢ）が真下を向くように設定し、灯具本体３１の突起３１Ａをねじ等により側板３３の切欠３３Ａに固定する。
【００２８】
そして、図５（Ｃ）に示すように、補助反射板３７Ｂを下降させて（図５（Ｃ）中矢印Ｃ参照）枠体２０の上フレーム２３に載置して、隙間２５を覆う。
これにより、舞台用照明器具１０Ｂの照射光ＬＢは、天井面１１の傾斜にかかわらず、真下に設定することができる。
なお、ここでは、灯具本体３１が回転のみして、スライドしない場合について説明したが、灯具本体３１をスライド可能に支持することも可能である。
【００２９】
以上、説明した本発明に係る第２実施形態の舞台用照明器具１０Ｂによれば、天井面１１に取り付けられる枠体２０には、ＬＥＤ３４を有する灯具本体３１が、スライド可能かつ上下方向に回転可能に設けられている。また、枠体２０には、ＬＥＤ３４からの光を所定の方向へ反射する反射板２４が設けられている。
そして、灯具本体３１をスライドさせたり上下回転させたときに、反射板２４と灯具本体３１との間に生じる隙間２５に照射された光を反射する補助反射板３７Ｂを、灯具本体３１に対して上下方向にスライド可能に設けた。
このため、補助反射板３７Ｂが枠体２０から下方へ突出することなく、反射板２４と灯具本体３１との間に生じる隙間２５から漏れる光を照明方向へ反射するので、外観を損ねることなく光を効率よく所望の方向へ照射できる。
【００３０】
（第３実施形態）
次に、本発明に係る第３実施形態の舞台用照明器具について、図面を用いて説明する。
なお、前述した第１実施形態に係る舞台用照明器具１０および第２実施形態に係る舞台用照明器具１０Ｂと共通する部位には同じ符号を付して、重複する説明を省略することとする。
【００３１】
図６には、傾斜した天井面１１に設けられている埋込孔１２に取り付けられた第３実施形態の舞台用照明器具１０Ｃが示されている。
この舞台用照明器具１０Ｃでは、灯具本体３１を上下回転させたときに、反射板２４と灯具本体３１との間に生じる隙間２５（図７（Ｂ）参照）に照射された光を反射する補助反射板３７Ｃを、ジャバラ式に灯具本体３１と枠体２０との間に設けた。
【００３２】
従って、図７（Ａ）に示すように、傾斜した天井面１１に設けられた埋込孔１２に舞台用照明器具１０Ｃを取り付ける際には、灯具本体３１のスライド方向が、傾斜している天井面１１の傾斜方向と一致するように枠体２０を取り付ける。この状態では、補助反射板３７Ｃは折り畳まれている。
次いで、図７（Ｂ）に示すように、灯具本体３１を上側（図７（Ｂ）中矢印Ｂ方向）へ回転させて、灯具本体３１の照射方向（照射光ＬＢ）が真下を向くように設定し、灯具本体３１の突起３１Ａをねじ等により側板３３の切欠３３Ａに固定する。
補助反射板３７Ｃは、一端が灯具本体３１に取り付けられ、他端が枠体２０に取り付けられているので、灯具本体３１の回転により、伸張して、隙間２５を覆う。
【００３３】
これにより、舞台用照明器具１０Ｃの照射光ＬＢは、天井面１１の傾斜にかかわらず、真下に設定することができる。
なお、ここでは、灯具本体３１が回転のみして、スライドしない場合について説明したが、灯具本体３１をスライド可能に支持することも可能である。
【００３４】
以上、説明した本発明に係る第３実施形態の舞台用照明器具１０Ｃによれば、天井面１１に取り付けられる枠体２０には、ＬＥＤ３４を有する灯具本体３１が、スライド可能かつ上下方向に回転可能に設けられている。また、枠体２０には、ＬＥＤ３４からの光を所定の方向へ反射する反射板２４が設けられている。
そして、灯具本体３１をスライドさせたり上下回転させたときに、反射板２４と灯具本体３１との間に生じる隙間２５に照射された光を反射する補助反射板３７Ｃを、灯具本体３１と枠体２０との間にジャバラ式に設けた。
このため、補助反射板３７Ｃが枠体２０から下方へ突出することなく、反射板２４と灯具本体３１との間に生じる隙間２５から漏れる光を照明方向へ反射するので、外観を損ねることなく光を効率よく所望の方向へ照射できる。
【００３５】
（第４実施形態）
次に、本発明に係る第４実施形態の舞台用照明器具について、図面を用いて説明する。
なお、前述した第１実施形態に係る舞台用照明器具１０ないし第３実施形態に係る舞台用照明器具１０Ｃと共通する部位には同じ符号を付して、重複する説明を省略することとする。
【００３６】
図８には、傾斜した天井面１１に設けられている埋込孔１２に取り付けられた第４実施形態の舞台用照明器具１０Ｄが示されている。
この舞台用照明器具１０Ｄでは、灯具本体３１を上下回転させたときに、反射板２４と灯具本体３１との間に生じる隙間２５（図９（Ｃ）参照）に照射された光を反射する補助反射板３７Ｄを、後付けで設けた。
すなわち、補助反射板３７Ｄは別個に設けられており、例えば、反射板２４の反射面２４Ａと同様の略円錐台形状の一部に形成されたものを用いることができる。
【００３７】
従って、図９（Ａ）に示すように、傾斜した天井面１１に設けられた埋込孔１２に舞台用照明器具１０Ｂを取り付ける際には、灯具本体３１のスライド方向が、傾斜している天井面１１の傾斜方向と一致するように枠体２０を取り付ける。この状態では、補助反射板３７Ｄは、まだ取り付けられていない。
次いで、図９（Ｂ）に示すように、灯具本体３１を上側（図９（Ｂ）中矢印Ｂ方向）へ回転させて、灯具本体３１の照射方向（照射光ＬＢ）が真下を向くように設定し、灯具本体３１の突起３１Ａをねじ等により側板３３の切欠３３Ａに固定する。
【００３８】
そして、図９（Ｃ）に示すように、補助反射板３７Ｄを、灯具本体３１と枠体２０との間に後付けで取り付けて、隙間２５を覆う。
これにより、舞台用照明器具１０Ｄの照射光ＬＢは、天井面１１の傾斜にかかわらず、真下に設定することができる。
なお、ここでは、灯具本体３１が回転のみして、スライドしない場合について説明したが、灯具本体３１をスライド可能に支持することも可能である。
【００３９】
以上、説明した本発明に係る第４実施形態の舞台用照明器具１０Ｄによれば、天井面１１に取り付けられる枠体２０には、ＬＥＤ３４を有する灯具本体３１が、スライド可能かつ上下方向に回転可能に設けられている。また、枠体２０には、ＬＥＤ３４からの光を所定の方向へ反射する反射板２４が設けられている。
そして、灯具本体３１をスライドさせたり上下回転させたときに、反射板２４と灯具本体３１との間に生じる隙間２５に照射された光を反射する補助反射板３７Ｄを、後付けで取り付けた。
このため、補助反射板３７Ｄが枠体２０から下方へ突出することなく、反射板２４と灯具本体３１との間に生じる隙間２５から漏れる光を照明方向へ反射するので、外観を損ねることなく光を効率よく所望の方向へ照射できる。
【００４０】
（第５実施形態）
次に、本発明に係る第５実施形態の舞台用照明器具について、図面を用いて説明する。
なお、前述した第１実施形態に係る舞台用照明器具１０ないし第４実施形態に係る舞台用照明器具１０Ｄと共通する部位には同じ符号を付して、重複する説明を省略することとする。
【００４１】
図１０には、傾斜した天井面１１に設けられている埋込孔１２に取り付けられた第５実施形態の舞台用照明器具１０Ｅが示されている。
この舞台用照明器具１０Ｅでは、灯具本体３１を上下回転させたときに、反射板２４と灯具本体３１との間に生じる隙間２５（図１１（Ｂ）参照）に照射された光を反射する補助反射板３７Ｅを、枠体２０の上部に回転可能に設けた。
補助反射板３７Ｅは、反射板２４の反射面２４Ａと同様の略円錐台形状の一部に形成されており、枠体２０の上フレーム２３に設けられている回転軸２６回りに回転可能に支持されている。
【００４２】
従って、図１１（Ａ）に示すように、傾斜した天井面１１に設けられた埋込孔１２に舞台用照明器具１０Ｅを取り付ける際には、灯具本体３１のスライド方向が、傾斜している天井面１１の傾斜方向と一致するように枠体２０を取り付ける。この状態では、補助反射板３７Ｅの上端は、灯具本体３１の上部に当接している。
次いで、図１１（Ｂ）に示すように、灯具本体３１を上側（図１１（Ｂ）中矢印Ｂ方向）へ回転させて、灯具本体３１の照射方向（照射光ＬＢ）が真下を向くように設定し、灯具本体３１の突起３１Ａをねじ等により側板３３の切欠３３Ａに固定する。
このとき、補助反射板３７Ｅは、灯具本体３１に沿って接触しながら回転軸２６を中心として回転し（図１１（Ｂ）中矢印Ｃ参照）、隙間２５を覆う。
【００４３】
これにより、舞台用照明器具１０Ｅの照射光ＬＢは、天井面１１の傾斜にかかわらず、真下に設定することができる。
なお、ここでは、灯具本体３１が回転のみして、スライドしない場合について説明したが、灯具本体３１をスライド可能に支持することも可能である。
【００４４】
以上、説明した本発明に係る第５実施形態の舞台用照明器具１０Ｅによれば、天井面１１に取り付けられる枠体２０には、ＬＥＤ３４を有する灯具本体３１が、スライド可能かつ上下方向に回転可能に設けられている。また、枠体２０には、ＬＥＤ３４からの光を所定の方向へ反射する反射板２４が設けられている。
そして、灯具本体３１をスライドさせたり上下回転させたときに、反射板２４と灯具本体３１との間に生じる隙間２５に照射された光を反射する補助反射板３７Ｅを、枠体２０に回転可能に設けた。
このため、補助反射板３７Ｅが枠体２０から下方へ突出することなく、反射板２４と灯具本体３１との間に生じる隙間２５から漏れる光を照明方向へ反射するので、外観を損ねることなく光を効率よく所望の方向へ照射できる。
【００４５】
なお、本発明の舞台用照明器具は、前述した各実施形態に限定されるものでなく、適宜な変形、改良等が可能である。
例えば、前述した各実施形態において、灯具本体３１の回転機構およびスライド機構は一例であり、上述した機構に限定するものではない。
【符号の説明】
【００４６】
１０、１０Ｂ、１０Ｃ、１０Ｄ、１０Ｅ  舞台用照明器具
１１  天井面（被取付部）
２０  枠体
２４  反射板
２５  隙間
３１  灯具本体
３４  ＬＥＤ（光源）
３７、３７Ｂ、３７Ｃ、３７Ｄ、３７Ｅ  補助反射板
【図１】
2013164986.tif 000003
【図２】
2013164986.tif 000004
【図３】
2013164986.tif 000005
【図４】
2013164986.tif 000006
【図５】
2013164986.tif 000007
【図６】
2013164986.tif 000008
【図７】
2013164986.tif 000009
【図８】
2013164986.tif 000010
【図９】
2013164986.tif 000011
【図１０】
2013164986.tif 000012
【図１１】
2013164986.tif 000013
【図１２】
2013164986.tif 000014